(57)【要約】【課題】遊技媒体の受皿への貯留，貯留箱へ移動の利便性を高くする。【解決手段】メダル４１を貯留する受皿２２は、固定された固定皿部２６と前後方向に移動自在な可動皿部２７とからなる。可動皿部２７は、固定皿部２６と一体にしてメダル４１を貯留する貯留位置と、この貯留位置から前方に引き出されて、受皿２２の前部にメダル４１の排出通路４５を形成する排出位置との間で移動自在となっている。シャッタ板２８は、払出口２３から払い出されるメダル４１が排出通路４５に向けて通る通過通路５０とメダル４１を貯留しておく保持空間５１とに貯留空間を区画する区画位置と、その区画を解除した解除位置との間で移動自在となっている。【選択図】図４
2009061027.tif 000002
【特許請求の範囲】
【請求項１】
遊技機本体に設けた払出口から払い出された遊技媒体を貯留空間に貯留する受皿を備えた遊技機において、
前記受皿は、前記遊技機本体の前方に設けられた固定皿部と、前記受皿の前面壁の一部となる可動壁と前記受皿の底面の一部を前方に延伸する可動底を有する可動皿部とを備え、
前記可動皿部は、前記可動壁を前記前面壁の一部にして遊技媒体を貯留する貯留位置と、前記可動壁及び前記可動底が前記固定皿部から前方に引き出され、前記受皿の底面の一部を前方に延伸することによって、遊技媒体を前記受皿の前方に案内して排出する排出通路を形成する排出位置との間で移動することを特徴とすることを特徴とする遊技機。
【請求項２】
前記可動皿部は、前記払出口から払い出された遊技媒体が前記排出通路に向かって流入するように、前記払出口から払い出されて前記受皿に流入する遊技媒体の流入位置から流入方向の延長線上に前記排出通路を形成することを特徴とする請求項１記載の遊技機。
【請求項３】
前記払出口から払い出されて前記貯留空間に流入する遊技媒体を前記排出通路に向けて通すための通過通路及び遊技媒体を貯留しておくための保持空間に前記貯留空間を区画する区画位置と、前記通過通路と前記保持空間との区画を解除した解除位置との間で移動自在なシャッタ部材を備えることを特徴とする請求項１または２記載の遊技機。
【請求項４】
前記受皿は、一方の側端の後方より遊技媒体が流入し、この一方の側端に沿って前記払出口から払い出されて前記貯留空間に流入する遊技媒体を前記排出通路に向けて通すための通過通路が設けられ、前記可動皿部は、前記受皿の一方の側端の側壁とともに前記可動壁が前方に引き出されて前記排出通路を形成することを特徴とする請求項１ないし３のいずれか１項に記載の遊技機。
【請求項５】
前記可動皿部は、前記可動壁と前記側壁とにより前記受皿の中心方向に折り曲がった略Ｌ字状の排出通路を形成することを特徴とする請求項４記載の遊技機。
【請求項６】
前記払出口から払い出されて前記貯留空間に流入する遊技媒体を前記排出通路に向けて通すための通過通路及び前記排出通路の一部または全部の区間の底面は、遊技媒体を排出するために傾斜していることを特徴とする請求項１ないし５のいずれか１項に記載の遊技機。
【発明の詳細な説明】
【技術分野】
【０００１】
本発明は、パチンコ球やメダル等の遊技媒体を貯留する受皿を備えた遊技機に関するものである。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、遊技媒体の供給に基づいて作動させるランプ装置や音声発生装置などの様々な各種駆動装置及びこれら駆動装置を制御する制御回路基板を含む制御回路装置を備えており、遊技者が遊技を行う際にこれらを適宜作動させることによって遊技を興趣に溢れたものとしている。
【０００３】
これらの遊技機には、当たりを出した時にパチンコ球やメダルが払い出される受皿が設けられている。例えばスロットマシンの遊技者は、遊技の開始に先立って、遊技媒体貸出装置に紙幣もしくはプリペイドカードを挿入して遊技に必要な数のメダルの貸し出しを受け、そのメダルを遊技機の前面に設けられた受皿へ移し、貯留する。そして、遊技を開始する際に、受皿に貯留してあるメダルをスロットマシンに設けたメダル投入口に投入する。そして、遊技の結果、入賞が得られたときには配当となるメダルが払出口から受皿に払い出される。
【０００４】
上記のようにして受皿内のメダルは増減するが、多くのメダルが払い出されて受皿が満杯になった場合、あるいは遊技を終了したり、中断して他のスロットマシンへ移動する場合等には、遊技者は、受皿内のメダルを手で掻き出したり、掴んだりして通称ドル箱と称される貯留箱内に移動させる。
【０００５】
受皿内のメダルを手で掻き出したり、掴んだりして、遊技媒体を移す不便さを解消するために、受皿の底面に開閉蓋を有する開口を設け、この開口から受皿に貯留したメダルを貯留箱に排出できるようにしたスロットマシンが特許文献１によって知られている。また、箱状の受皿の１面を上下または前後にスライド自在な移動板とし、あるいは移動板の１辺を中心に回動自在に底板に取り付けて扉状としたスロットマシンが特許文献２や特許文献３によって知られている。この特許文献２，３のスロットマシンによれば、開いた受皿の１面からメダルを排出して貯留箱内に移動することができる。さらには、特許文献２，３と同様に、受皿の１面を開いた際に、受皿自体を傾斜させて自動的にメダルが排出するようにしたスロットマシンも知られている（特許文献４参照）。
【特許文献１】特開平０７−１３６３１２号公報
【特許文献２】特開２００４−１６０１０７号公報
【特許文献３】実開平０４−１２６５９２号公報
【特許文献４】特開２００３−２１０６６４号公報
【発明の開示】
【発明が解決しようとする課題】
【０００６】
ところで、特許文献１に記載された受皿のように、受皿の底部に設けた開口から遊技媒体を貯留箱に排出する場合には、受皿の下側に貯留箱を置くため、貯留箱にどの程度の遊技媒体が排出されたかがわかりづらいという問題があった。また、遊技者は、受皿に貯留されている全ての遊技媒体を排出するだけではなく、遊技媒体の一部だけを貯留箱に移動したい場合があるが、特許文献２〜４等ではそのような点が考慮されていない。さらには、遊技者は、受皿に払い出された遊技媒体を受皿に貯留しておくか、貯留された遊技媒体を受皿から貯留箱に排出するかを選択できるだけであったので、なお遊技媒体の取り扱いに不便さがあった。
【０００７】
本発明は上記に鑑みてなされたもので、払い出される遊技媒体の受皿への貯留，貯留箱への排出の利便性を高くした遊技機を提供することを目的とする。
【課題を解決するための手段】
【０００８】
上記目的を達成するために、本発明では、遊技機本体に設けた払出口から払い出された遊技媒体を貯留空間に貯留する受皿を備えた遊技機において、受皿を、遊技機本体の前方に設けられた固定皿部と、受皿の前面壁の一部となる可動壁と受皿の底面の一部を前方に延伸する可動底を有する可動皿部とから構成し、可動皿部を、可動壁を前面壁の一部にして遊技媒体を貯留する貯留位置と、可動壁及び可動底が固定皿部から前方に引き出され、受皿の底面の一部を前方に延伸することによって、遊技媒体を受皿の前方に案内して排出する排出通路を形成する排出位置との間で移動するようにしたものである。
【０００９】
可動皿部は、払出口から払い出された遊技媒体が排出通路に向かって流入するように、払出口から払い出されて受皿に流入する遊技媒体の流入位置から流入方向の延長線上に排出通路を形成するのが好ましい。
【００１０】
また、払出口から払い出されて貯留空間に流入する遊技媒体を排出通路に向けて通すための通過通路及び遊技媒体を貯留しておくための保持空間に貯留空間を区画する区画位置と、通過通路と保持空間との区画を解除した解除位置との間で移動自在なシャッタ部材を備えることも好ましい。
【００１１】
受皿に、一方の側端の後方より遊技媒体が流入し、この一方の側端に沿って払出口から払い出されて貯留空間に流入する遊技媒体を排出通路に向けて通すための通過通路を設け、可動皿部を、受皿の一方の側端の側壁とともに可動壁が前方に引き出されて排出通路を形成するようにしたものである。そして、可動皿部を引き出すことによって、可動壁と側壁とにより受皿の中心方向に折り曲がった略Ｌ字状の排出通路を形成することが好ましい。
【００１２】
払出口から払い出されて貯留空間に流入する遊技媒体を排出通路に向けて通すための通過通路及び排出通路の一部または全部の区間の底面を、遊技媒体の排出するために傾斜させることも好ましい。
【発明の効果】
【００１３】
本発明の遊技機によれば、遊技媒体を貯留する受皿を、固定皿部と、可動皿部とで構成し、可動皿部に設けた可動壁を受皿の前面壁の一部として遊技媒体を貯留する貯留位置と、この貯留位置から可動皿部に設けた可動壁と可動底とを前方に引き出して、受皿の底面の一部を前方に延伸することによって、遊技媒体を固定皿部の前方に案内して排出する排出通路を形成する排出位置との間で移動自在としたから、可動皿部を前方に移動させるだけで遊技媒体を受皿の前方から外部に排出することができ、貯留箱を受皿で隠されない見やすい位置に置いて貯留箱の量を確認しながら遊技媒体の移動を行うことができる。
【００１４】
また、排出位置のときに、払出口から払い出されて受皿に流入する遊技媒体の流入位置から流入方向の延長線上に排出通路を形成し、払出口から払い出された遊技媒体が排出通路に流入するようにしたから、固定皿部に貯留されている遊技媒体を貯留した状態で払出口からの遊技媒体に導いて排出通路を通して貯留箱に排出したり、固定皿部に貯留されている遊技媒体を排出通路を通して貯留箱に排出したりすることができ、遊技媒体の取り扱いがより便利となる。
【発明を実施するための最良の形態】
【００１５】
図１に示すように、スロットマシン（遊技機）１１は、スロットマシン本体（遊技機本体）１２内にリールやホッパー装置，制御装置など、遊技を実行するための各種装置を収納してある。スロットマシン本体１２の前面には、前面扉１３を設けてある。前面扉１３は、上下に２分割してあり、上扉１３ａと下扉１３ｂとからなる。スロットマシン本体１２の内部は上扉１３ａ及び下扉１３ｂによって開閉される。
【００１６】
上扉１３ａには表示窓１４を設けてあり、この表示窓１４の奥には左から順に第１リール１５ａ，第２リール１５ｂ，第３リール１５ｃを配してある。表示窓１４の側方には、液晶ディスプレイ１７を設けてある。この液晶ディスプレイ１７には、遊技中に各種の演出のための演出画像が表示される。
【００１７】
第１〜第３リール１５ａ〜１５ｃの外周面には複数種類の図柄が配列されており、リールが停止すると表示窓１４を通して１リール当たり３個の図柄が表示される。このスロットマシン１１では、横３本と斜め２本とからなる計５本の入賞有効ライン１６を設定してある。そして、第１〜第３リール１５ａ〜１５ｃが停止したときに入賞有効ライン１６上に停止した停止図柄の組み合わせによって当選役が入賞したか否かが表示される。
【００１８】
当選役は、当たりであるＢＢ（ビックボーナス）、メダルの払い出しのみが行われる小役、メダルの投入することなく次遊技を行うことができるリプレイからなる。ＢＢは入賞するまでその当選の権利が持ち越され、ＢＢが入賞すると通常モードよりもペイアウト率（１枚のメダル投入に対して払い出されるメダルの枚数の割合）が高くなるＢＢモードに移行する。
【００１９】
下扉１３ｂには、遊技の開始に先立ってメダルが投入されるメダル投入口１９、第１〜第３リール１５ａ〜１５ｃの回転を開始させるスタートレバー２０、遊技中に回転しているリールを停止させる第１〜第３ストップボタン２１ａ〜２１ｃ、メダルが貯留される受皿２２、メダルを払い出す払出口２３などを設けてある。スタートレバー２０が押下されると遊技が開始されて当選役抽選が行われ、前述した複数種類の当選役のいずれか又はハズレが決定される。
【００２０】
下扉１３ｂの下部前面に受皿２２と払出口２３を設けてある。受皿２２は、上面が開口となった略直方体の箱状であり、下扉１３ｂから前方に突出するように設けた底板３１と、この底板３１の周囲に立設した前面壁３２，左側壁３３，右側壁３４，背面壁３５とによってメダルを貯留する貯留空間を形成する。払出口２３は、受皿２２の背面の右端に開口しており、メダルを払い出す。
【００２１】
受皿２２に貯留されるメダルとしては、遊技者が貸し出しを受けたメダルの他、払出口２３から払い出されるメダルがある。払出口２３から払い出されるメダルとしては、入賞の配当としてのメダルや、それまでスロットマシン１１の内部に貯留されていてクレジット機能のオフによって払い出されるメダルがある。
【００２２】
上記の受皿２２は、固定皿部２６と可動皿部２７とから構成してある。また、受皿２２には、シャッタ板２８を設けてある。固定皿部２６は、下扉１３ｂに固定してあり、可動皿部２７は、前方に引き出すことができる。また、払出口２３の奧には、可動皿部２７の後端に一体に形成した払出通路２３ａ（図２参照）を設けてある。
【００２３】
図２ないし図４に示すように、底板３１は、固定皿部２６の固定底３１ａと、可動皿部２７の可動底３１ｂとに分割してある。これら固定底３１ａと可動底３１ｂは、前部側が低くなるように傾斜している。可動底３１ｂと一体に形成された払出通路２３ａについても、同様に傾斜している。固定底３１ａには、前面壁３２の一部となる固定前面壁３２ａと、左側壁３３と、背面壁３５とを一体に設けてある。
【００２４】
可動皿部２７の可動底３１ｂは、払出口２３を通して後方に伸びており、払出通路２３ａの底部にもなっている。可動底３１ｂの前端に前面壁３２の一部となる可動前面壁（可動壁）３２ｂを一体に設けてある。また、可動底３１ｂの右端には、右側壁３４を一体に設けてあり、この右側壁３４の一端が可動前面壁３２ｂと連結されて略Ｌ字形状となっている。さらに、右側壁３４は、その他端側が可動底３１ｂの後端まで伸びて、可動底３１ｂとともに払出通路２３ａを形成する。
【００２５】
スロットマシン本体１２内部には、受皿２２の後方となる位置にホッパー装置３７を配置してある。このホッパー装置３７は、貯留槽３８とメダル払出部３９とから構成される。貯留槽３８は、多数のメダルを貯留し、その下部に設けられたメダル払出部３９にメダルを供給する。メダル払出部３９は、制御装置に制御されて払出枚数分のメダル４１を１枚ずつ開口部３９ａから排出する。開口部３９ａは、払出通路２３ａの側部上方に配してある。このように開口部３９ａを払出口２３よりもかなり奧に設け、さらに払出通路２３ｂの側方に配してあるため、払出口２３から直線的な位置に開口部を設けた場合と比べて、ホッパー装置３７に対するゴト行為をし難くできる。
【００２６】
払出通路２３ａは、後方に長くしてあり、後述するように可動皿部２７が貯留位置から排出位置に引き出された場合でも、開口部３９ａからのメダル４１が払出通路２３ａ内に排出される。払出通路２３ａ内に排出されたメダル４１は、払出通路２３ａに付された傾斜により払出口２３に向かって流下し、払出口２３から受皿２２内に流入する。
【００２７】
右側壁３４には、可動皿部２７の引き出し方向と平行な方向に伸びた２本のガイド溝３４ａを設けてある。各ガイド溝３４ａには、それぞれガイドピン４２が係合している。これにより、可動皿部２７は、図２に示す貯留位置と、図３に示す排出位置との間で移動自在に取り付けられている。可動皿部２７の貯留位置と排出位置との移動は、可動皿部２７を手動で前後方向に移動させることで行うが、スイッチの操作に応答してモータの駆動力等で移動させてもよい。
【００２８】
可動皿部２７が貯留位置のときには、可動前面壁３２ｂが固定前面壁３２ａと一体になって、すなわち可動前面壁３２ｂが前面壁３２の一部となり、受皿２２内にメダル４１を貯留する状態となる。この貯留位置のときには、払出口２３から受皿２２内に流入するメダル４１についても貯留される。
【００２９】
可動皿部２７の貯留位置から排出位置への移動により、可動底３１ｂ，可動前面壁３２ｂ，右側壁３４が固定皿部２６よりも前方に引き出される。この可動皿部２７の移動により、受皿２２の底面を部分的に前方に延伸し、メダル４１を受皿２２の前方に案内して排出する排出通路４５が形成される。
【００３０】
排出通路４５は、前面壁３２の可動前面壁３２ｂの部分に形成される開口がメダル４１の流入口４６に、固定前面壁３２ａと可動前面壁３２ｂの端部間に形成される開口がメダル４１の流出口４７になる。この排出通路４５は、流入口４６から流入したメダル４１を可動底３１ｂによる延伸部分上を通して流出口４７より受皿２２の外部に排出する。排出通路４５は、可動前面壁３２ｂと右側壁３４とが一体に引き出されるため、左方向、すなわち受皿２２の中心方向に向かって略Ｌ字形状に折り曲がった形状であり、そのようにメダル４１を案内して排出する。
【００３１】
排出通路４５を通して排出されるメダル４１としては、受皿２２内に貯留されているメダル４１の他、払出口２３から新たに払い出されるメダル４１がある。排出通路４５は、上記のように可動皿部２７を前方に引き出して形成することにより、払出口２３から受皿２２に流入するメダル４１の流入方向（前方向）の延長線上に形成される。これにより、払出口２３から払い出されたメダル４１が排出通路４５に流入しやすくしている。
【００３２】
払出口２３から流入口４６に至るまでの可動底３１ｂ上の空間は、メダル４１が排出通路４５に向かって流下するとき通過通路５０となる。この通過通路５０は、その底面となる可動底３１ｂが傾斜している。このため、上述の払出口２３から流入するメダル４１の流入方向の延長線上に排出通路４５が形成されることと相俟って、払出口２３から払い出されたメダル４１を自然に排出通路４５に流入させることができる。また、可動底３１ｂを底面とする排出通路４５についても傾斜させているから、排出通路４５に流入したメダル４１を容易に流出口４７から排出させることができる。
【００３３】
シャッタ板（シャッタ部材）２８は、図４に示すように、背面壁３５から前方に引き出された区画位置と、図２，図３に示すように、背面壁３５の奧に収納された解除位置との間で移動自在としてある。このシャッタ板２８には、ツマミ２８ａを設けてある。シャッタ板２８は、ツマミ２８ａを摘んで引き出すことにより区画位置とすることができる。
【００３４】
シャッタ板２８を区画位置とすることによって、メダル４１を貯留しておくための保持空間５１と、払出口２３からのメダル４１を排出通路４５に通すための通過通路５０とに貯留空間を区画する。このシャッタ板２８によって通過通路５０と保持空間５１との相互間のメダル４１の流出入が阻止される。
【００３５】
可動皿部２７を排出位置，シャッタ板２８を区画位置としている場合には、保持空間５１に適当な枚数のメダル４１を貯留した状態を維持したまま、払出口２３から新たに払い出されるメダル４１が通過通路５０を通して排出通路４５に案内される。
【００３６】
シャッタ板２８が解除位置である場合には、貯留空間は、通過通路５０と保持空間５１とには区画されない。これにより、これまでの受皿２２と同様にメダル４１を貯留した状態を維持する。また、可動皿部２７を排出位置，シャッタ板２８を解除位置としている場合には、払出口２３からのメダル４１を排出通路４５に案内して排出しながら、それまで貯留していたメダル４１を排出通路４５に移動させて排出することが許容される。
【００３７】
次に、上記構成の作用について説明する。スロットマシン１１の遊技者は、遊技の開始する際には、図２に示すように、受皿２２の可動皿部２７を貯留位置に、またシャッタ板２８を解除位置にしておく。そして、メダル貸出装置からメダル４１の貸し出しを受け、そのメダル４１を受皿２２に移して貯留する。
【００３８】
受皿２２に貯留してあるメダル４１をメダル投入口１９に投入し、スタートレバー２０を操作すると遊技が開始される。遊技が開始されると、第１〜第３リール１５ａ〜１５ｃが一斉に回転を開始するとともに、当選役抽選が行われる。そして、当選役抽選の結果当選（内部入賞））し、さらに各ストップボタン２１ａ〜２１ｃの操作によって、第１〜第３リール１５ａ〜１５ｃがその当選役に入賞するための位置に停止することによって入賞となる。
【００３９】
上記のように入賞した場合には、ホッパー装置３７が作動されて開口部３９ａから入賞した当選役に対応する枚数のメダル４１が払出通路２３ａ内に排出される。払出通路２３ａ内に排出されたメダル４１は、払出通路２３ａの傾斜によって前方に移動し、払出口２３から払い出されて受皿２２内に貯留される。
【００４０】
多数のメダル４１が払い出されて受皿２２が満杯になった場合や、他のスロットマシン１１へ移動する場合等で、貯留箱にメダル４１を移すときには、遊技者は、まず可動皿部２７を排出位置としたときのメダル４１の排出位置に見当をつけて、その位置に貯留箱を置いた後に可動皿部２７を前方に引き出して排出位置とする。なお、適切な貯留箱の位置を案内する部材を設け、あるいはマークを記しておくのも好ましい。
【００４１】
可動皿部２７の排出位置への移動により、受皿２２の中心方向に向かって略Ｌ字形状に折り曲がった排出通路４５が受皿２２の前部に形成される。この排出通路４５は、それまで可動前面壁３２ｂがあった位置に形成された流入口４６を通して受皿２２内、すなわち貯留空間とつながっている。
【００４２】
上記のように排出通路４５を形成することにより、それまで受皿２２に貯留されていたメダル４１を流入口４６に流入させ、そのメダル４１を排出通路４５を通して流出口４７から排出して貯留箱に移すことができる。また、この状態で払出口２３より新たに払い出されるメダル４１についても、同様にして排出通路４５を通して流出口４７から排出し貯留箱に移すことができる。
【００４３】
受皿２２にある程度のメダル４１を貯留したまま、払出口２３より新たに払い出されるメダル４１を貯留箱に移動させる場合には、可動皿部２７を排出位置とした状態でシャッタ板２８を引き出して区画位置とする。これによって、受皿２２の貯留空間が通過通路５０と保持空間５１とに区画される。そして、保持空間５１内にあるメダル４１を排出通路４５に流入させることなく、通過通路５０内にあったメダル４１と、その後に払い出されるメダル４１だけを排出通路４５に流入させて貯留箱に移動することができる。
【００４４】
上記のように可動皿部２７を排出位置とした状態でシャッタ板２８を区画位置としている場合には、通過通路５０内に貯留されていたメダル４１が排出されてしまえば、払出口２３から払い出されるメダル４１は、可動底３１ｂの傾斜によって自然に排出通路４５に流入し、流出口４７から貯留箱に移動する。これにより、遊技者は、特にメダル４１を排出するための操作をすることなく、払い出されるメダル４１を順次に貯留箱に移すことができる。
【００４５】
以上のようにして、遊技者は、受皿２２内のメダル４１，あるいは払出口２３から払い出されるメダル４１を排出通路４５を通して貯留箱に容易に移動させることができる。また、貯留箱を受皿２２の前方下側に置くため、受皿２２によってその貯留箱が隠されてしまうことがない。このため、メダル４１がどの程度の貯留箱に移動したかを容易に確認することができる。さらに、シャッタ板２８を区画位置としておけば、適当な枚数のメダル４１を受皿２２に残しながら、メダル４１を排出することができるので便利である。
【００４６】
図５に示すように、開口部３９ａから払出通路２３ｂに至るメダル４１の排出経路上に案内部材５５を設け、ホッパー装置３７の側部に設けた開口部３９ａから排出されるメダル４１を案内部材５５に当てることにより、メダル４１の方向を前方に転換するようにしてもよい。この例における案内部材５５は、メダル４１との衝突時の衝撃を吸収ないし緩和するために、弾性を有する板状の部材としているが、メダル４１との衝突面５５ａ（開口部３９ａに対向する面）に衝撃吸収材を設けてもよい。
【００４７】
また、図５に示す例では、貯留箱のセット位置を案内する部材として、固定皿部２６の下部に断面Ｌ字状の受け部５６を設けてある。この受け部５６は、図６に示すように、貯留箱５７に形成されたフランジ５７ａを載せることにより、その貯留箱５７をメダル４１の排出に適した位置にセットできるようにし、排出作業をより容易に行うことができるようにしている。メダル４１を排出する際には、フランジ５７ａを受け部５６に載せて貯留箱５７を受皿２２に対して位置決めしてセットしてから可動皿部２７を前方に引き出して排出位置とする。
【００４８】
上記実施形態では、受皿の一方の端部に可動皿部を設けたが、可動皿部の位置は、これに限定されるものではない。図７に示す例では、受皿２２の中央部に可動皿部６１を設け、この可動皿部６１の両側に固定皿部６２を設けてある。可動皿部６１は、払出口６３の前方の受皿２２の底部を延伸し、それと同時に可動前面壁６１ａを前方に移動して受皿２２の中央前方に排出通路６４を形成する。この排出通路６４は、その左右からメダルを排出する。
【００４９】
なお、上記の例では、受皿２２の中央部分が通過通路６５となるから、二点鎖線で示すように、区画位置のシャッタ板６７としては通過通路６５の両側にそれぞれ配せばよい。これにより、貯留空間は、各シャッタ板６７によって通過通路６５とその両側の一対の保持空間６６とに区画される。なお、通過通路６５の片側だけにシャッタ板６７を配して、通過通路６５の右側あるいは左側の一方に保持空間６６を区画してもよい。
【００５０】
また、上記各実施形態では、受皿の底面自体を前方に移動させて延伸しているが、排出通路の形成のための底面の延伸は、受皿の底面の移動に限定されない。例えば、図８は受皿の下側に排出通路の底板が収納される例を示している。この例では、可動皿部８０は、排出通路の底板となる延伸部材８１と、この延伸部材８１の前端に一体に設けた可動前面壁８２とを有している。可動皿部８０が貯留位置のときには、図８（ａ）のように、延伸部材８１が底板２２ａの下側に収納され、排出位置のときには、図８（ｂ）のように、延伸部材８１が底板２２ａの下側から前方に引き出されて、受皿２２の底面を前方に延伸する。
【００５１】
上記各実施形態では、メダルが排出通路に向かって流下して排出通路をと通って自然に排出されるようにするために、傾斜を通過通路及び排出通路の全体に与えているが、通過通路及び排出通路の一部に傾斜を与えてもよい。
【００５２】
上記では、リールを駆動させるスロットマシンに本発明を適用したが、例えば液晶ディスプレイによって表示されたリールを回転させる（液晶ディスプレイ上で図柄の変動表示を行わせる）スロットマシン、遊技球を遊技媒体として用いるスロットマシン、パチンコ機など他の遊技機で本発明を適用してもよい。パチンコ機では、遊技球が貯留される受皿としては上皿と下皿とがあるが、このような場合には、いずれの受皿に可動皿部を設けてもよい。
【図面の簡単な説明】
【００５３】
【図１】スロットマシンの外観を示す斜視図である。
【図２】可動皿部が貯留位置にある状態の受皿を示す斜視図である。
【図３】可動皿部が排出位置にある状態の受皿を示す斜視図である。
【図４】可動皿部が排出位置に、シャッタ板を区画位置にした状態の受皿を示す斜視図である。
【図５】メダルの案内部材と貯留箱のセット位置を案内する受け部を設けた例を示す斜視図である。
【図６】受け部に貯留箱のフランジを載せた状態を示す説明図である。
【図７】受皿の中央部に可動皿部を設けた例を示す斜視図である。
【図８】延伸部材を受皿の下側から引き出して排出通路を形成する例を示す説明図である。
【符号の説明】
【００５４】
１１  スロットマシン（遊技機）
２２  受皿
２６  固定皿部
２７  可動皿部
３１ｂ  可動底
３２  前面壁  
３２ｂ  可動前面壁（可動壁）
４５  排出通路
５０  通過通路
【図１】
2009061027.tif 000003
【図２】
2009061027.tif 000004
【図３】
2009061027.tif 000005
【図４】
2009061027.tif 000006
【図５】
2009061027.tif 000007
【図６】
2009061027.tif 000008
【図７】
2009061027.tif 000009
【図８】
2009061027.tif 000010